(57)【要約】【課題】貸農園の面積が大きくなる程に作物へ撒く水を汲み取る作業を何度も行わなければならない。【解決手段】充電工具用バッテリー１の各電極１ＥＡ，１ＥＢに、クリップ形状型の第１端子部２の各電極２ＥＡ，２ＥＢが接続されている。第１端子部２を一端部に有する各電線コード３，４の部分３Ａ，４Ａは、スイッチ５及び分派器６を介して、ホース７の途中の箇所の取出部９からホース７外部へ突出している。各電線コード３，４の部分３Ｂ，４Ｂは取出部９からホース７内部に配設されており、各コード３，４の他端部に該当する第２端子部は、水源１１中に浸されたポンプ１０の対応電極に接続されている。スイッチ５が接続ＯＮ状態の場合に、充電工具用バッテリー１からポンプ１０に電力が供給され、ポンプ１０により汲み上げられた水１２はホース７内を流れて、放水部８より畑に放たれる。【選択図】図１
2014221034.tif 000002
【特許請求の範囲】
【請求項１】
充電工具用のバッテリーと、
前記バッテリーの第１電極に接続可能に配設された第１端子と、前記バッテリーの第２電極に接続可能に配設された第２端子とを有する第１端子部と、
前記第１端子部の前記第１端子に電気的に接続された一端部と、他端部とを有する、第１長さの第１電線コードと、
前記第１端子部の前記第２端子に電気的に接続された一端部と、他端部とを有する、第２長さの第２電線コードと、
電気装置と
を備え、
前記バッテリーの前記第１電極と同極性である前記電気装置の電源の第１電極に、前記第１電線コードの前記他端部は電気的に接続可能であり、
前記バッテリーの前記第２電極と同極性である前記電気装置の電源の第２電極に、前記第２電線コードの前記他端部は電気的に接続可能である
ことを特徴とする、電力供給装置。
【請求項２】
請求項１に記載の電力供給装置であって、
前記電気装置は、農園の水源より水を汲み上げるためのポンプであり、
前記第１電線コードは、接続オン状態及び接続オフ状態を切り替えるスイッチを備える
ことを特徴とする、電力供給装置。
【請求項３】
請求項２に記載の電力供給装置であって、
前記ポンプに接続された一端部と、農園に散水するための放水部に接続された他端部とを有する所定の長さのホース部を更に備えており、
前記ホース部の前記一端部側から、前記ホース部の前記一端部と前記他端部と間の任意の途中部までは、前記第１電線コード及び第２電線コードは前記ホース部内に配設されている
ことを特徴とする、電力供給装置。
【発明の詳細な説明】
【技術分野】
【０００１】
この発明は、充電工具用のバッテリーを備える電力供給装置に関する。
【背景技術】
【０００２】
貸農園に於いて賃借している畑に於いて畑作業を行う人が、増えている。
【０００３】
多くの場合、貸農園に於いては、電気及び水道の施設が備わっていない。そのため、畑作業を行う者は、その都度、周辺の溜め水又は水路等の水源から、バケツ又はジョロ内に水を汲みいれた上で、作物へ水を供給しているのが、現状である。
【先行技術文献】
【特許文献】
【０００４】
【特許文献１】特開２０１２−９５６３３号公報
【発明の概要】
【発明が解決しようとする課題】
【０００５】
しかし、作物への散水作業に於いては、作業者は、ジョロ内に例えば７リットル〜８リットル程の容量の水を汲んでは畑まで歩いて来た上で作物に散水しなければならないので、貸農園の畑が広くなってくる程に、作業者は、上記の作業を何回も行わなければならず、作業時間がより増大して、上記の作業にも限界が生じる。
【０００６】
又、上記の貸農園での畑への散水作業の問題点とは異なるが、地震等の災害時に商用電気の供給が途絶えた場合の一時的な電力の供給が問題となる。
【０００７】
この発明は、上記の貸農園での畑への散水作業の問題点を踏まえた上で、その問題点を解決すべく成されたものであり、広範囲の畑への水遣り作業を効率良く行えることを実現可能とする点に、その主目的を有する。その上で、本発明は、上記の主目的を実現可能とする手段を提案するに当たって、上記の緊急時の一時的な電力供給の問題にも対応可能とすることを、その副次的目的とする。
【課題を解決するための手段】
【０００８】
本発明の主題に係る電力供給装置は、充電工具用のバッテリーと、前記バッテリーの第１電極に接続可能に配設された第１端子と、前記バッテリーの第２電極に接続可能に配設された第２端子とを有する第１端子部と、前記第１端子部の前記第１端子に電気的に接続された一端部と、他端部とを有する、第１長さの第１電線コードと、前記第１端子部の前記第２端子に電気的に接続された一端部と、他端部とを有する、第２長さの第２電線コードと、電気装置とを備え、前記バッテリーの前記第１電極と同極性である前記電気装置の電源の第１電極に、前記第１電線コードの前記他端部は電気的に接続可能であり、
【０００９】
前記バッテリーの前記第２電極と同極性である前記電気装置の電源の第２電極に、前記第２電線コードの前記他端部は電気的に接続可能であることを特徴とする。
【発明の効果】
【００１０】
本発明の主題によれば、蓄電容量が比較的に大きくて、且つ、個人が自宅等の建物内に配備・保管しておいて随時に持ち歩くことが容易な充電工具のバッテリーより、電気装置に対して、必要性に応じて臨機応変に電力を供給することが出来る。
【００１１】
特に、対象の電気装置が農園の水源より水を汲み上げるためのポンプである場合には、貸農園の畑の面積が比較的に大きくて作物への水遣りを行う範囲が広くなっても、広範囲に亘っての作物への水遣り作業を効率化して簡単化・自動化させることが出来る。
【００１２】
以下、本発明の様々な具体化を、添付図面を基に、その効果・利点と共に、詳述する。
【図面の簡単な説明】
【００１３】
【図１】本発明の実施の形態１に係る電力供給装置の構成を模式的に示す図である。
【図２】本発明の実施の形態１に係る電力供給装置で用いられる第１端子部を模式的に示す図である。
【図３】本発明の実施の形態１に係る電力供給装置で用いられる第１端子部の変形例を模式的に示す図である。
【発明を実施するための形態】
【００１４】
（実施の形態１）
＜電力供給装置の構成＞
【００１５】
図１は、貸農園の畑ＬＳに植えられている植物に水遣りの作業を行う際に用いられる電力供給装置の構成を模式的に示す図である。本装置の構成の中核は、日曜大工・建築作業等で利用されるネジ締結工具の様な「充電工具」に専用のバッテリー（蓄電池）単体から電力を供給する点にある。
【００１６】
図１に例示される充電工具用のバッテリー１は、プラス電極（本例では第１電極に該当。）１ＥＡ及びマイナス電極（本例では第２電極に該当。）１ＥＢ（便宜上、図１ではハッチングされている。）が露出状態で配設された円柱部１Ｐを有する、円柱形状型の充電工具用バッテリーである。充電工具用のバッテリー１は、室内に配備される変圧器（図示せず。）を介して、商用電源より充電されるものであり、その充電容量は、家電機器の充電容量と比較して格段に大きい。しかも、充電工具用のバッテリー１は、個人が自宅等の建物内に配備・保管しておいて必要に応じて随時に持ち歩くことが容易な、充電工具本体より容易に分離して単独で使用可能なバッテリーである。例えば、上記の変圧器は、電圧１００ＶのＡＣ電力を供給する商用電源より、電圧１２ＶのＤＣ電力に変圧して、当該ＤＣ電力を本変圧器に充電用に取付けられた充電工具用バッテリー１に充電する。
【００１７】
又、第１端子部２は、充電工具用バッテリー１より電力を取出すための端子部であり、充電工具用バッテリー１の第１電極１ＥＡに電気的且つ機械的に接続可能に配設された第１端子２ＥＡと、当該バッテリー１の第２電極１ＥＢに電気的且つ機械的に接続可能に配設された第２端子２ＥＢとを有する。例えば、第１端子部２は、図２に例示されるクリップ形状の接続部２Ａである。本接続部２Ａに於いては、畑作業者がハンドル部分２ＡＨＡ，２ＡＨＢを掴んで同部２ＡＨＡ，２ＡＨＢを交差動作させることで、電極部２ＥＡ，２ＥＢを備えた先端部分が開閉動作を行い、各電極部２ＥＡ，２ＥＢが充電工具用バッテリー１の第１電極１ＥＡ及び第２電極１ＥＢに電気的且つ機械的に接続される。
【００１８】
そして、第１長さ（例えば数ｍ）の第１電線コード（プラス電極用コード）３は、第１端子部２のプラス電極の端子２ＥＡに半田付け等により電気的に接続された一端部３ＥＡを有する。加えて、第１電線コード３は、後述のホース（ホース部）７の途中の任意位置に設けられた取出し部（同部の電線コード３，４の周辺部分は水漏れ防止のために封印されている。）９から外部に突出した部分３Ａの途中に、分派器（ソケット）６を介して、スイッチ５を有する。このスイッチ５は、第１電線コード３の外部突出部分３Ａの接続オン状態及び接続オフ状態を、畑での農作業者の切り替え作業に応じて、切り替える。
【００１９】
又、第２長さ（例えば数ｍ）の第２電線コード（マイナス電極用コード）４の内で、ホース７の取出し部９から外部に突出した部分４Ａの先端に該当する一端部４ＥＡは、第１端子部２のマイナス電極の端子２ＥＢに半田付け等により電気的に接続されている。尚、第２電線コード４の外部突出部分４Ａは、分派器６内を単に通り抜けるだけである。
【００２０】
他方、ポンプ１０は、農園の水源（溜め水又は水路等。）１１より水（便宜上、ハッチングされている。）１２を汲み上げるための一般的なポンプ装置であり、本例では「電気装置」に該当する機器である。ポンプ１０の排水口（図示せず。）には、所定の長さ（例えば１０ｍ程）のホース７の一端部が接続されている。そして、ホース７の上記一端部から更に第１及び第２電線コード３，４はポンプ１０内部に延在しており、第１電線コード３の他端部（コードの被覆絶縁物が除去されて電線がむき出しとなっている部分。）は、同極性であるポンプ１０の電源のプラス電極（第１電極）に電気的に接続されている。同様に、第２電線コード４の他端部（コードの被覆絶縁物が除去されて電線がむき出しとなっている部分。）は、同極性であるポンプ１０の電源のマイナス電極（第２電極）に電気的に接続されている。
【００２１】
又、ポンプ１０により汲み上げられた水がその一端部から内部を流れるホース７の他端部は、農園の畑ＬＳに植えられた作物に散水するための放水部８に接続されている。そして、ホース７の上記一端部側から、ホース７の上記一端部と上記他端部と間の任意の途中部（取出し部９が配設されている箇所。）までには、第１電線コード３Ｂ及び第２電線コード３Ｂがホース７内部に配設されている。従って、第１電線コード３Ｂ及び第２電線コード３Ｂの各々の内で、比較的に配線長さが短い各突出部分３Ａ，４Ａのみがホース７より外部に存在しているのみとなるので、第１電線コード３Ｂ及び第２電線コード３Ｂがホース７と共に纏わり付いて作業時に邪魔となってしまう状態の発生が防止されている。
【００２２】
＜電力供給装置の動作機能：水やり作業の自動化＞
【００２３】
水遣り作業の始めに於いて、畑作業者は、ポンプ１０を畑の水源１１内に浸した上で、ホース７を引っ張って、その先端部の放水部８を畑ＬＳの水遣りを行う部分に配置する。
【００２４】
その上で、畑作業者は、第１端子部２の第１端子２ＥＡ及び第２端子２ＥＢの各々を充電工具用バッテリー１の第１電極１ＥＡ及び第２電極１ＥＢに電気的・機械的に接続し、スイッチ５を接続ＯＮ状態とする。このＯＮ状態に於いて、充電工具用バッテリー１のＤＣ１２Ｖの電圧がポンプ１０の電源に印加されてポンプ１０は水を吸引する動作を開始し出す。その結果、水源１１より吸引された水は、ホース７内を流れて、放水部８より畑ＬＳへ散水される。その結果、畑作業者は、単に畑の水遣り対象の土地に於いて、放水部８より散水作業を行い続ければ良く、畑面積の広さに応じて何度も水源１１へ行って水汲みを行って畑へ戻ってくる作業を不要とし得る。この場合、持ち歩き可能で大容量の充電工具用バッテリー１を用いてポンプ１０に電力を供給しているので、貸農園の面積が比較的に大きくて広い畑に水遣り作業を行わなければならない場合でも、当該作業中、安定した電力供給を以ってポンプ１０を駆動させて、水遣りの自動化・効率化・軽作業化を図ることが出来る。
【００２５】
しかも、畑作業者は、当該畑に於いて、単にスイッチ５の切り替え動作を行うだけで、充電工具用バッテリー１からポンプ１０への電力供給のＯＮ／ＯＦＦ制御を行うことが出来る。そのため、貴重な水源１１の水を、畑の農作物への水遣り作業中に於いてのみ、畑作業者は散水することが出来る。例えば、スイッチ５の切り替え動作により、畑作業者は、畑に肥料又は栄養剤等或いは農作物の種を撒いている時間帯に、充電工具用バッテリー１からポンプ１０への電力供給を一時的に停止させることが可能となる。
【００２６】
加えて、既述の通り、第１及び第２電線コード３，４の大部分３Ｂ，４Ｂはホース７内に配設されているので、畑作業者にとって、本電力供給装置を用いて水遣り作業又は農作業を行っている間、電線コード３，４が邪魔になることは生じない。
【００２７】
ここで、図３は、第１端子部２の変形例（棒状端子）を示す図である。即ち、図３は、充電工具用バッテリー１の電極がスライド型構造である場合に対応可能とする第１端子部２の構成を模式的に示している。この場合には、第１端子部２の第１及び第２端子の各々は、棒状の板部に配設されたスプリング端子の構造を備えている。このため、ワンタッチ動作で、第１端子部２の第１及び第２端子の各々は、充電工具用バッテリー１の第１及び第２電極の各々に接続される。或いは、第１端子部２の更なる変形例（図１と同様の円柱状型式の充電工具用バッテリー。）として、円柱状型式の充電工具用バッテリー１のプラス及びマイナスの両電極が差込み型のコンセント型の場合には、第１端子部２はプラグ型の構造を有する。
【００２８】
（実施の形態２）
災害時等の、商用電源が供給されない状態が発生した緊急事態の場合に、本電力供給装置を適用して、一時的に、各種の電気機器に比較的大きな電力を供給することが出来る。この場合、第１端子部を介して充電工具用バッテリー１の各電極に接続されている第１及び第２電線コードは、実施の形態１で開示した様な、その一部がホース内に配設されている必要性はない。
【００２９】
例えば、上記の第１及び第２電線コードの反対側の各第２端子部は、多機能携帯電話又はタブレット端末の様な携帯通信機（電気装置）の電池の電極に接続されて、充電工具用バッテリーから当該携帯通信機の電池を充電可能としても良い。或いは、災害時に必要となる「電気装置」の例である、ＬＥＤ照明器等の照明器具、ラジオ又はお湯を沸かす機器等の機器の電源又は電池に、本電力供給装置を用いて充電工具用バッテリーから充電することとしても良い。
【００３０】
（付記）
以上、本発明の実施の形態を詳細に開示し記述したが、以上の記述は本発明の適用可能な局面を例示したものであって、本発明はこれに限定されるものではない。即ち、記述した局面に対する様々な修正及び／又は変形例を、この発明の範囲から逸脱することの無い範囲内で考えることが可能である。例えば、マイナスの極性の電極が「第１電極」に該当する場合には、プラスの極性の電極は「第２電極」に該当する。
【産業上の利用可能性】
【００３１】
この発明は、貸農園等の畑の作物に対して供水する際に用いるポンプ、或いは、災害等により電気の供給を受けることが出来ない場合に一時的に用いる多機能携帯電話等の電気装置に対する電力供給装置に適用して好適なるものである。
【符号の説明】
【００３２】
１  充電工具用バッテリー
２  第１端子部
３  第１電線コード
４  第２電線コード
５  スイッチ
７  ホース
８  放水部
１０  ポンプ（電気装置）
１１  農園の水源
【図１】
2014221034.tif 000003
【図２】
2014221034.tif 000004
【図３】
2014221034.tif 000005